(57)【要約】【課題】光電センサの透光窓の曇りや氷結を外部からの電力供給や定期的な浄化をすることなく防止することができる光電センサを提供する。【解決手段】非透光性を有する材質からなる筐体２と、透光性を有する材質からなり筐体の一部に設けられた透光窓８と、透光窓８を通して投光又は受光するように筐体２の内部に設けられた投光器５又は受光器６の少なくとも一方を有する光電センサ１において、透光窓８の外側の表面８ａを覆うように透光性を有する吸水層３が形成されている構成としたものである。これにより、外部からの電力供給が不要でかつ定期的な浄化も必要としないで透光窓８の曇りや氷結を防止することができ、設置環境の影響を受け難い光電センサを実現することができる。【選択図】図１
2008269877.tif 000002
【特許請求の範囲】
【請求項１】
非透光性を有する材質からなる筐体と、透光性を有する材質からなり前記筐体の一部に設けられた透光窓と、
前記透光窓を通して投光又は受光するように前記筐体の内部に設けられた投光器又は受光器の少なくとも一方を有する光電センサにおいて、
前記透光窓の外側の表面を覆うように透光性の吸水層が形成されていることを特徴とする光電センサ。
【請求項２】
前記吸水層はアセテートからなる吸水シートであることを特徴とする、請求項１に記載の光電センサ。
【請求項３】
前記吸水シートは透光性を有する粘着層又は接着層を介して前記透光窓に密着していることを特徴とする、請求項１又は請求項２に記載の光電センサ。
【請求項４】
前記吸水シートの端部の捲れを防ぐための枠体を有し、この枠体は前記筐体に係合する係合部と、前記吸水シートの端部を保護する保護部を有することを特徴とする、請求項３に記載の光電センサ。
【請求項５】
前記吸水シートは零下の気温環境に置かれた状態で０℃以上の湿り空気が接触したときに吸水シートの表面に接した水分が表面で氷結する前に吸水シートに吸水されることを特徴とする、請求項１乃至請求項３の何れかに記載の光電センサ。
【請求項６】
前記吸水シートはその表面で水分が氷結しないよう、接した水分量で吸水力が飽和しないシート厚を有することを特徴とする、請求項５に記載の光電センサ。
【請求項７】
請求項１乃至請求項４の何れかに記載の光電センサと、この光電センサからの投光を反射するための回帰反射板とを備えた光電システムであって、
前記回帰反射板の外側の表面を覆うように透光性の吸水層が形成されており、何れの吸水層も偏光効果を実質的に有していないものであることを特徴とする光電センサシステム。
【発明の詳細な説明】
【技術分野】
【０００１】
本発明は、光電センサの透光窓の曇り防止を外部からの電力供給及び定期的な浄化を不要とした光電センサに関する。
【背景技術】
【０００２】
光電検出装置は、投光器から射出されたビーム光を受光器で受光して受光量に応じた電気信号を検出し、この電気信号に基づいて前記ビーム光を遮断する検出物体の有無を検出するもので、周知のように種々の分野において使用されている。
【０００３】
この光電検出装置の検出部（以下「光電センサ」という）は、種々の場所に設置されており、その設置環境により投光器や受光器のビーム光を透過させる透光窓の表面に曇りや氷結等が発生する。例えば、朝露の激しい場所に設置された建築物や冷凍冷蔵庫の出入口等に設置されている場合、光電センサの透光窓の表面に結露して曇りが発生したり氷結したりし易い。投光器や受光器の透光窓に曇りが発生したり氷結したりするとビーム光の強度が著しく低下し、この結果、光電センサの検出感度が著しく低下する。
【０００４】
防曇性を有する部材として、加水分解性脱離基をもつ有機金属化合物、そのオリゴマー及び／又は２種以上の前記有機金属化合物のコオリゴマーを含む親水化塗料の塗膜をプラスチック基材の少なくとも一方の最外層に有し、易洗浄性、易排水性、防曇性、結露防止性等を有するプラスチック成形品が提案されている（例えば、特許文献１参照）。
【特許文献１】特開２０００―３０１０５４号公報（５頁〜７頁）
【発明の開示】
【発明が解決しようとする課題】
【０００５】
上記特許文献１に開示されている構成においては、プラスチック成形品を表面親水化塗料で被覆しているが、表面が親水性のものは汚れが付着しやすいので防曇性能を維持するためには定期的な表面の浄化が必要とされる。
【０００６】
曇り止め手段としては、光触媒の特性を利用して物質の表面を超親水性にして曇りを防ぐ方法があるが、紫外線を照射しないと効果が出ないために使用環境に制限があり曇り止めの用途は少ない。また、光触媒自体が強い酸化力を利用しているために処理できるものは無機物（ガラス、セラミック等）の一部に限定されると共に、バインダーそのものが光触媒効果で劣化するという問題がある。
【０００７】
また、表面活性剤処理は、親水性を利用したもので眼鏡の曇り止め等に使用されるが、持続性に乏しく頻繁に塗り直す必要があり使用対象や使用環境が限定される。
【０００８】
また、ヒータを使用して投光窓を外気よりも暖かくしておき結露を生じないようにすることも可能であるが、外部からヒータに電力を供給する必要があり、洗面所等に設置された鏡の曇り止めには特に問題ないが、小型の光電センサに適用することは困難である。
【０００９】
また、無光触媒（空気触媒）は、紫外線を照射しなくとも親水性を発揮できるが、材料により塗布できない（塗れない、付かない）ものがあり、また、その効果は、紫外線を充分照射した光触媒に劣る。
【００１０】
また、撥水処理は、水滴を大きくしてワイパと併用することにより拭い去り易くするもので、曇り止めではない。しかも、ワイパにぬぐい去られるため撥水処理を頻繁に繰り返す必要があり、使用対象も車のフロントガラス等に限定されている。
【００１１】
本発明の目的は、光電センサの透光窓の曇りや氷結を外部からの電力供給や定期的な浄化をすることなく防止することができる光電センサを提供することにある。
【課題を解決するための手段】
【００１２】
上述した課題を解決するために、本発明に係る光電センサは、
非透光性を有する材質からなる筐体と、透光性を有する材質からなり前記筐体の一部に設けられた透光窓と、
前記透光窓を通して投光又は受光するように前記筐体の内部に設けられた投光器又は受光器の少なくとも一方と、を有する光電センサにおいて、
前記透光窓の外側の表面を覆うように透光性の吸水層が形成されていることを特徴としている。
【００１３】
吸水層は、湿度の高い環境下で表面に接した水分を吸水して、その結果、透光窓の曇りを防止する。そして、吸水が飽和に達すると表面ににじみ出る水により親水性の効果が現れて曇り難くなり、乾燥させると吸水した水分が放出されて元の状態に戻る。この作用は可逆的で繰り返し行われ、半永久的に機能が持続する。そして、吸水層の表面に接した水分は、氷結時間に比べて極めて短時間(略瞬時)に吸水されるために氷結も防止される。即ち、防曇（曇り防止）と氷結防止が極めて効果的に行われる。
【００１４】
また、本発明の請求項２に記載の光電センサは、請求項１に記載の光電センサにおいて、前記吸水層はアセテートからなる吸水シートであることを特徴としている。
【００１５】
吸水シートは、アセテートフィルムの表層を改質することにより親水及び吸水性を付与させる改質処理が施されている。具体的には、トリアセテートフィルムを苛性アルカリ剤で処理するとアセチル基の一部が加水分解して水酸基に置換され、こうしてセルロース化されたフィルムは吸水性が向上し、湿度の高い環境下で表面に接した水分を吸水してなくす。その結果、防曇（曇り防止）の機能を有している。
【００１６】
また、本発明の請求項３に記載の光電センサは、請求項１又は請求項２に記載の光電センサにおいて、前記吸水シートは透光性を有する粘着層又は接着層を介して前記透光窓に密着していることを特徴としている。
【００１７】
吸水シートは、透光性を有する粘着層又は接着層により透光窓に密着されることで透光窓の表面と吸水シートとの間に隙間、即ち空気層が形成されることが無くなり、透光窓の表面が曇ることが防止される。
【００１８】
また、本発明の請求項４に記載の光電センサは、請求項３に記載の光電センサにおいて、前記吸水シートの端部の捲れを防ぐための枠体を有し、この枠体は前記筐体に係合する係合部と、前記吸水シートの端部を保護する保護部を有することを特徴としている。
【００１９】
枠体は、保護部により吸水シートを筐体の透光窓に押し付けて吸水シートの端部が捲れて剥げることを防止し、また、係止部により筐体に固定される。これにより、筐体の透光窓に吸水シートを長期に亘り良好に維持することができる。
【００２０】
また、本発明の請求項５に記載の光電センサは、請求項１乃至請求項３の何れかに記載の光電センサにおいて、前記吸水シートは零下の気温環境に置かれた状態で０℃以上の湿り空気が接触したときに吸水シートの表面に接した水分が表面で氷結する前に吸水シートに吸収されることを特徴としている。
【００２１】
吸水シートの表面に付着した水は、極めて短時間（略瞬時）に吸水され、水分が氷結する時間は吸水される時間よりも長い。従って、吸水シートの表面に接した水分をすべて吸水することにより、吸水シートの表面の氷結が防止される。
【００２２】
また、本発明の請求項６に記載の光電センサは、請求項５に記載の光電センサにおいて、前記吸水シートはその表面で水分が氷結しないよう、接した水分量で吸水力が飽和しないシート厚を有することを特徴としている。
【００２３】
吸水シートの表面に接した水分は、極めて短時間（略瞬時）に吸水され、水分が氷結する時間は吸水される時間よりも長い。従って、吸水シートの厚さをその表面で水分が氷結するまでの間に吸水力が飽和しないシート厚とすることで、吸水量が多くなり吸水シートの表面に水滴がつかないようにすることが可能となる。これにより、気温零下の環境に設置されて結露が生じても、その氷結量を低下させて光電センサとして動作可能な程度にまで悪影響を緩和することができる。
【００２４】
また、本発明の請求項７に記載の光電センサは、請求項１乃至請求項４の何れかに記載の光電センサと、この光電センサからの投光を反射するための回帰反射板とを備えた光電システムであって、
前記回帰反射板の外側の表面を覆うように透光性の吸水層が形成されており、何れの吸水層も偏光効果を実質的に有していないものであることを特徴としている。
【００２５】
リフレクタ形の光電センサを備えた光電システムにおいて、光電センサの透光窓及び回帰反射板の反射面に偏光効果を有しない吸水層を形成することにより、投光器から射出されたビーム光の及び回帰反射板から反射された反射光（ビーム光）の偏光が防止され、かつ光電センサの透光窓及び回帰反射板の反射面の曇りが防止される。これにより、環境の影響を受けにくい光電システムを構築することが可能となる。
【発明の効果】
【００２６】
本発明によると、外部からの電力供給が不要で定期的な透光窓の表面の浄化も必要としない光電センサの透光窓の防曇（曇り防止）を実現することができる。
【００２７】
また、結露と乾燥を繰り返す環境に長期間設置されても、吸水シートの剥がれを防止することができる。
【００２８】
また、気温零下の環境に設置されて湿った空気が接しても、その氷結量を低下させて光電センサとして動作可能な程度にまで悪影響を緩和することができる。
【００２９】
更に、リフレクタ形光電センサシステムにおいて、外部からの電力供給が不要でかつ定期的な表面の浄化も必要としない光電センサの防曇（曇り防止）を実現することができる。
【発明を実施するための最良の形態】
【００３０】
以下、本発明の実施形態に係る光電センサについて図面に基づいて説明する。図１に示すように光電センサ１は、投光器と受光器とを同一の筐体に並べて収容し、投光器からビーム光を射出し検出物体で反射された反射光（ビーム光）を受光器で検出して検出物体の有無を検出する反射形の光電センサとされている。この光電センサ１は、投光器５と受光器６を収容した筐体２と、筐体２の前面２ａに形成された透光窓８の外側を覆う透光性を有する吸水層としての吸水シート３と、筐体２の前面２ａに装着されて吸水シート３の端部の捲れを防ぐための枠体としての押え部材４により構成されている。
【００３１】
筐体２は、直方体形状の箱体をなし非透光性を有する部材により形成されており、内部に前面２ａ側から見て投光器５、受光器６、作動を確認するための表示灯７が横並びに配列されて収容されている。筐体２は、前面２ａに投光器５の投光面及び受光器６の受光面と対向した位置に透光窓を形成するための角形の穴２ｂが設けられており、透光性を有する防護用のガラス板８が液密にかつその表面８ａが筐体２の前面２ａと面一をなして嵌め込まれて固定されている。従って、防護用のガラス板８が実質的に筐体2の透光窓を形成することとなり、透光窓8と称して説明する。表示灯７の前面も筐体２の前面２ａと面一をなしている。尚、透光窓８としてはガラス板を使用しているがこれに限るものではなく、プラスチック板を使用しても良い。
【００３２】
そして、投光器５から射出されたビーム光が透光窓８を通して投光され、図示しない検出物体から反射されたビーム光（反射光）が透光窓８を通して受光器６に受光される。透光窓８は、投光器５から射出されるビーム光の波長に対応した所定範囲の波長の光のみを透過させるフィルタ機能を有しており、前記ビーム光以外の光によるノイズの影響を低減させるようになっている。
【００３３】
ケーブル９は、投光器５、受光器６に光学的に接続された投光用光ファイバー、受光用ファイバー、または内部回路に接続された電線等が収容されており、筐体２の後部の一側隅部２ｃから液密を確保して延出している。このケーブル９は、図示しない光検出装置本体に接続される。また、筐体２の両側面２ｄには前面２ａから所定距離奥まった位置に係合凹部２ｅが形成されている。筐体２は、密閉構造とされており、透光窓８が液密に固定され、ケーブル９が筐体２から液密を確保して延出されていることで、内部の気密性は充分に確保されている。
【００３４】
曇りは、空気中の水分が飽和水蒸気量を超えたときに周囲の物体に結露して起こる現象であり、温度勾配がある場合には、通常冷えている面に結露が生じて曇りが発生する。光電センサ１は、密閉構造とされ内部を乾燥した状態で気密性が確保されているために収容されている投光器５の投光面や受光器６の受光面が曇ることは無く、外気と直接接触する透光窓８の表面８ａに曇りが生じる。
【００３５】
吸水シート３は、透光窓８の表面８ａが曇ることを防止するためのもので、透光性を有する透明なシートからなり、筐体２の前面２ａの大きさと同じ大きさに形成されており、裏面に透光性を有する透明な粘着層又は接着層が形成されている。この吸水シート３は、透光窓８の表面８ａ及び筐体２の前面２ａに密着して貼り付けられて固定される。なお、吸水シート３の大きさは、筐体２の前面２ａの大きさと同じにする必要はなく、少なくとも投光器５および受光器６の前面を覆う大きさでかつ後述の押え部材４の穴４ｃよりも大きければ足りる。
【００３６】
吸水シート３は、例えばアセテートフィルムの表層を改質することにより親水及び吸水性を付与させる改質処理が施された防曇フィルムが使用されている。より具体的には防曇フィルムは、トリアセテートフィルムを苛性アルカリ剤で処理するとアセチル基の一部が加水分解して水酸基に置換され、こうしてセルロース化されたフィルムは吸水性が向上し、湿度の高い環境下で表面に付着した水滴をなくす。その結果、防曇（曇り防止）の機能を有している。
【００３７】
この吸水シート３は、吸水が飽和に達すると表面ににじみ出る水により親水性の効果が現れて曇り難くなり、乾燥させると吸水した水分が放出されて元の状態に戻る。この作用は可逆的で繰り返し行われ、半永久的に機能が持続する。そして、吸水シート３の表面に付着した水は、極めて短時間（略瞬時）に吸水されるために氷結も防止される。即ち、防曇と氷結防止が極めて効果的に行われる。
【００３８】
また、吸水シート３は、零下の気温環境に置かれた状態で０℃以上の湿り空気が接触したときに吸水シート３の表面に接した水分を吸水し、表面で氷結しないように設定されている。
【００３９】
上述したように吸水シート３の表面に付着した水は、極めて短時間（略瞬時）に吸水され、一方水分が氷結する時間は吸水される時間よりも長い。従って、吸水シート３の表面に接した水分を吸水し、表面に水分を残さないことにより吸水シート３の表面の氷結が防止される。
【００４０】
また、吸水シート３は、その表面で水分が氷結するまでの間に吸水力が飽和しないシート厚を有している。吸水シート３の表面に付着した水は、極めて短時間（略瞬時）に吸水され、水分が氷結する時間は吸水される時間よりも長い。従って、吸水シート３をその表面で接した水分をすべて吸水できる厚さとすることで、表面への水分付着をなくすことができ、吸水シート３の表面における氷結を有効に防止することが可能となる。
【００４１】
押え部材４は、前板４ａの両側部が一側に略直角に折曲されて対向する側板４ｂ，４ｂとされ、上方から見て幅広い角形の略Ｕ字形状をなしている。前板４ａは、筐体２の前面２ａと同じ形状とされ、透光窓８と対応する位置に当該透光窓８と同じ大きさの角形の穴４ｃが形成されており、表示灯７と対応する位置に穴４ｄが形成されている。また、両側板４ｂには、筐体２の両側面２ｄに形成されている係合凹部２ｅに係合する係止爪４ｅが形成されている。
【００４２】
係止爪４ｅは、側板４ｂの係合凹部２ｅと対応する部位を切り起こして形成されており、側板４ｂの先端側から前板４ａ側に向かって略テーパ状に立ち上がる形状とされ、先端側から係合凹部２ｅに係合され後端部のエッジが係合凹部２ｅの対向する側面に係止可能とされている。
この押え部材４は、筐体２の前面２ａに外嵌可能とされており、例えばばね性を有する薄い金属板により形成されている。そして、前板４ａが吸水シート３を筐体２の前面２ａに押し付けて当該吸水シート３の端部の捲れを防止する保護部とされ、係止爪４ｅが筐体２に係止固定される係合部とされている。尚、係止爪４ｅに替えて側板４ｂに内方に膨出する膨出部を形成して係合凹部２ｅに嵌合係止させるようにしても良い。
【００４３】
次に、筐体２に吸水シート３と押え部材４を組み付ける手順について説明する。先ず、筐体２の前面２ａ及び透光窓８の表面８ａに吸水シート３を粘着層又は接着層により密着させて貼り付ける。次に、筐体２の前面２ａに押え部材４を外嵌し前板４ａで吸水シート３を前面２ａに押し付け、かつ両側板４ｂの係止爪４ｅを筐体２の側面２ｄの係合凹部２ｅに係合させて逸脱不能に係止固定する。このようにして、光電センサ１が形成される。
【００４４】
吸水シート３は、押え部材４により筐体２の前面２ａに押し付けられて密着された状態に保持されることで、経年変化等に起因する端部（隅部や周縁部）の捲れ（剥離）が防止される。これにより、透光窓８の表面８ａ及び筐体２の前面２ａに吸水シート３を密着した状態に長期間に亘り保持することができる。
【００４５】
光電センサ１の吸水シート３の表面に付着した水は、極めて短時間（略瞬時）に吸水されるために曇りが防止されると共に氷結も防止される。また、吸水シート３を透光窓８の表面８ａに密着させて貼り付けることにより、吸水シート３の裏面と透光窓８の表面８ａとの間に空気層が形成されることが無く、透光窓８の表面８ａの曇りが防止される。
【００４６】
吸水シート３は、吸水が飽和に達すると表面ににじみ出る水により親水性の効果が現れて曇り難くなる。従って、透光窓８の浄化が不要となる。しかも、光電センサ１は、防曇（曇り防止）及び氷結防止のための透光窓８のヒータによる加熱や浄化等のメンテナンスが一切不要である。従って、光電センサ１は、設置環境の影響を受け難く、急激な気温の低下を招くような環境、例えば前述したような朝露の激しい場所に設置された建築物や冷凍冷蔵庫の出入口等への設置に好適である。
【００４７】
光電センサは、上述した投光器５と受光器６を同一の筐体２に並べて収容し、検出物体からの反射光の有無により検出物体の有無を検出する反射形の光電センサ１の他に、投光器と受光器を別体とし、これらを所望の間隔を存して対向配置して受光器へのビーム光の有無（ビーム光を遮断したか否か）により検出物体の有無を検出する透過形光電センサや、投光器と受光器を同一の筐体に並べて収容しかつ所望の間隔を存して反射板（回帰反射板）を対向させて配置し、反射板からの反射光の受光器への有無により検出物体の有無を検出するリフレクタ形光電センサがある。吸水シートは、これらの光電センサの透光窓や回帰反射板の表面にも適用することができる。
【００４８】
尚、リフレクタ形光電センサにおいては、光電センサの透光窓と反射板（回帰反射板）の反射面に吸水層（吸水シート）を形成し、かつ何れの吸水層も偏光効果を実質的に有していないものを使用する。光電センサの透光窓及び回帰反射板の反射面に偏光効果を有しない吸水層を形成することにより、投光器から射出されたビーム光の及び回帰反射板から反射された反射光（ビーム光）の偏光が防止されて吸水層を形成しない場合と略同様の検出感度を確保することが可能となり、かつ光電センサの透光窓及び回帰反射板の反射面の曇りが防止される。これにより、環境の影響を受け難いリフレクタ形光電センサを用いた光電システムを構築することが可能となる。
【００４９】
次に、光電センサの透光窓に吸水シートを使用した場合（防曇処理した場合）と吸水シートを使用しない場合（防曇処理無しの場合）における結露／氷結試験の一例を図２及び図３に示した。図２は透過形光電センサの結露／氷結の影響による温度と受光レベル（対混入前）との関係を示すグラフ、図３はリフレクタ形（ポラライズド形）光電センサの結露／氷結の影響による温度と受光レベル（対混入前）との関係を示したグラフである。試験条件は、恒温槽温度：５〜−３０℃（５℃刻み）、注入外気：２５℃／４８％ＲＨ（測定日の恒温槽周辺雰囲気）、３５℃／１００％（６０℃温水の蒸気を使用）であった。
【００５０】
図２及び図３において正方形のプロットは、吸水シートを使用して外気を混入した場合の特性を示し、×のプロットは吸水シートを使用して蒸気を混入した場合の特性を示し、菱形のプロットは吸水シート無しで外気を混入した場合の特性を示し、三角形のプロットは吸水シート無しで蒸気を混入した場合の特性を示している。
【００５１】
図２及び図３から明らかなように結露（０℃以上）に対して、吸水シートは透過形光電センサ、リフレクタ形光電センサ共に優れた効果を示している。また、氷結（氷点下）に対しては、透過形光電センサでは結露の場合程ではないが優れた効果を示しており、実用上差し支えない。上記実施形態に示した反射形の光電センサ１についても透過形光電センサの場合と略同じ効果が得られるものと思われる。尚、リフレクタ形光電センサでは反射板の回帰反射特性が損なわれるために氷結（氷点下）における効果が見られない。
【００５２】
このように、光電センサの透光窓に透光性を有する透明な吸水シートを透明な接着層又は粘着層を介して密着させることにより、設置環境の影響による曇りや氷結を受け難くなり、特に透過形や反射形の光電センサは、結露による透光窓の曇りや氷点下における氷結等を有効に防止することが可能であり、冷凍冷蔵庫の出入口等への設置に好適である。
【００５３】
尚、上記実施形態においては枠体４により筐体２の前面２ａ及び透光窓８の表面８ａに吸水シート３を押し付けて端部の捲れを防止して密着させた状態を保持するようにしたが、これに限るものではなく、他の手段、例えば筐体２の前面２ａ及び透光窓８の表面８ａに吸水シート３を貼り付けた後筐体２の前面２ａと吸水シート３の周縁部に全周に亘り粘性を有するシール材を塗布した後に硬化させて液密にシールするようにしても良い。
【００５４】
或いは筐体２の前面２ａの適宜位置、例えば前面の四隅と周縁部に円柱状の突起を一体に形成すると共に吸水シート３の対応する位置に穴を形成し、前記突起を前記穴に嵌挿させて前面２ａ及び透光窓８の表面８ａに吸水シート３を貼り付けた後、前記突起をカシメて固定するようにしても良い。
【００５５】
本発明に係る光電センサは、透光窓の表面に結露して曇りが発生したり氷結したりし易い場所、例えば郊外の朝露の激しい場所に建設された建築物や冷凍冷蔵庫の出入口等に設置された光電システムの光電センサに適している。
【図面の簡単な説明】
【００５６】
【図１】本発明に係る光電センサの一実施形態を示す組立斜視図である。
【図２】光電センサの透光窓に吸水シートを使用した場合（防曇処理した場合）と吸水シートを使用しない場合（防曇処理無しの場合）における透過形光電センサの結露／氷結の影響による温度と受光レベル（対混入前）との関係の一例を示した特性図である。
【図３】光電センサの透光窓に吸水シートを使用した場合（防曇処理した場合）と吸水シートを使用しない場合（防曇処理無しの場合）におけるリフレクタ形光電センサの結露／氷結の影響による温度と受光レベル（対混入前）との関係の一例を示した特性図である。
【符号の説明】
【００５７】
１    光電センサ（反射形光電センサ）
２    筐体
２ａ    前面
２ｂ    角形の穴
２ｃ    隅部
２ｄ    側面
２ｅ    係合凹部
３    吸水シート（吸水層）
４    押え部材（枠体）
４ａ    前板
４ｂ    側板
４ｃ    角形の穴
４ｄ    穴
４ｅ    係止爪
５    投光器
６    受光器
７    表示灯
８    透光窓
８ａ    表面
９    ケーブル
【図１】
2008269877.tif 000003
【図２】
2008269877.tif 000004
【図３】
2008269877.tif 000005